(57)【要約】【課題】放射線画像情報を効率的に読み取ることができる放射線画像情報読取装置及びその制御方法を提供する。【解決手段】読取装置を配置した台車が移動可能であるときの高速読取モードが選択されたときに、走査ユニットにおける放射線画像情報の読取解像度を低解像度（第２解像度）に設定して、高速の読取速度にて前記放射線画像情報を読み取り（ステップＳ３）、一方で、前記台車が停止状態であるときの通常読取モードが選択されたときに、高解像度（第１解像度）に変更して、低速の読取速度にて前記放射線画像情報を読み取るようにする（ステップＳ４）。【選択図】図４
2009195320.tif 000002
【特許請求の範囲】
【請求項１】
放射線変換パネルに記録された放射線画像情報を読み取る読取部を備える放射線画像情報読取装置において、
前記読取部における前記放射線画像情報の読取モードを切替可能な読取モード切替手段と、前記読取モードの切替に基づいて前記読取部における前記放射線画像情報の読取解像度を変更する解像度変更手段とを有する
ことを特徴とする放射線画像情報読取装置。
【請求項２】
請求項１記載の装置において、
前記読取モードには、前記放射線画像情報読取装置が停止状態となる第１モードと、前記放射線画像情報読取装置が移動可能となる第２モードとがあり、
前記解像度変更手段は、前記読取モード切替手段による前記第１モード又は前記第２モードの選択に基づいて前記読取解像度を変更する
ことを特徴とする放射線画像情報読取装置。
【請求項３】
請求項２記載の装置において、
前記解像度変更手段は、前記読取モード切替手段が前記第１モードを選択したときに前記読取解像度を所定の第１解像度に設定し、一方で、前記読取モード切替手段が前記第１モードから前記第２モードに切り替えたときに、前記読取解像度を前記第１解像度よりも低い第２解像度に変更する
ことを特徴とする放射線画像情報読取装置。
【請求項４】
請求項１〜３のいずれか１項に記載の装置において、
前記読取部にて読み取られた前記放射線画像情報と、該放射線画像情報の読取時の前記読取モードとを記録する記録手段をさらに有する
ことを特徴とする放射線画像情報読取装置。
【請求項５】
請求項１〜４のいずれか１項に記載の装置において、
前記放射線画像情報読取装置には、被写体を介して放射線を照射することで前記放射線画像情報を前記放射線変換パネルに記録する撮影装置が併設され、前記放射線画像情報読取装置及び前記撮影装置が台車に載置されて搬送可能に構成される
ことを特徴とする放射線画像情報読取装置。
【請求項６】
請求項５記載の装置において、
前記台車には、前記読取モードの切替に基づいて該台車を停止状態とする移動停止手段がさらに配置されている
ことを特徴とする放射線画像情報読取装置。
【請求項７】
放射線変換パネルに記録された放射線画像情報を読取部にて読み取る放射線画像情報読取装置の制御方法において、
前記読取部における前記放射線画像情報の読取モードを切り替えたときに、前記読取モードの切替に基づいて前記読取部における前記放射線画像情報の読取解像度を変更する
ことを特徴とする放射線画像情報読取装置の制御方法。
【発明の詳細な説明】
【技術分野】
【０００１】
本発明は、放射線変換パネルに記録された放射線画像情報を読み取る放射線画像情報読取装置及びその制御方法に関する。
【背景技術】
【０００２】
例えば、ある種の蛍光体に放射線（Ｘ線、α線、β線、γ線、紫外線、電子線等）を照射すると、この放射線のエネルギの一部が蛍光体に蓄積され、その後、該蛍光体に可視光等の励起光を照射すると、前記蓄積されたエネルギに応じた輝尽発光光が出力される。
【０００３】
そこで、このような蛍光体からなる蓄積性蛍光体パネルを利用し、撮影装置を用いて人体等の被写体の放射線画像情報を前記蓄積性蛍光体パネルに蓄積記録した後に、該放射線画像情報が記録された前記蓄積性蛍光体パネルを励起光で走査し、得られる輝尽発光光を光電的に読み取って画像信号に変換し、該画像信号を処理して診断適性に優れた画像を得る放射線画像情報読取装置が提案されている（特許文献１参照）。特許文献１には、前記励起光の走査速度に応じて該励起光の出射強度を補正することにより、前記走査速度を変化させても前記放射線画像情報の読取感度を一定に保つことが開示されている。
【０００４】
【特許文献１】特開平６−２８２０２２号公報
【発明の開示】
【発明が解決しようとする課題】
【０００５】
ところで、診断適性に優れた画像を得るためには、放射線画像情報読取装置を一定の場所に停止させた状態で、読取部が比較的高い読取解像度で放射線画像情報を読み取ること、すなわち、低速の走査速度（読取速度）で前記放射線画像情報を読み取ることが望ましい。一方、病院内の回診時等に被写体の状態を概略的に把握したいときには、前記放射線画像情報読取装置は移動可能な状態でもよく、この場合には、前記読取部が比較的低い読取解像度で前記放射線画像情報を読み取ること、すなわち、高速の読取速度で前記放射線画像情報を読み取ることが望ましい。
【０００６】
しかしながら、特許文献１に記載の技術は、読取速度に応じて励起光の出射強度を補正するものであり、従って、上述した要望に応じて放射線画像情報の読取解像度を変更し、該放射線画像情報を効率的に読み取ることはできない。
【０００７】
本発明は、前記の不具合を解消するためになされたものであって、放射線画像情報を効率的に読み取ることができる放射線画像情報読取装置及びその制御方法を提供することを目的とする。
【課題を解決するための手段】
【０００８】
本発明は、放射線変換パネルに記録された放射線画像情報を読み取る読取部を備える放射線画像情報読取装置であって、前記読取部における前記放射線画像情報の読取モードを切替可能な読取モード切替手段と、前記読取モードの切替に基づいて前記読取部における前記放射線画像情報の読取解像度を変更する解像度変更手段とを有することを特徴とする。
【０００９】
また、本発明は、放射線変換パネルに記録された放射線画像情報を読取部にて読み取る放射線画像情報読取装置の制御方法であって、前記読取部における前記放射線画像情報の読取モードを切り替えたときに前記読取モードの切替に基づいて前記読取部における前記放射線画像情報の読取解像度を変更することを特徴とする。
【発明の効果】
【００１０】
本発明によれば、放射線画像情報の読取モードに応じて前記放射線画像情報の読取解像度を変更することにより、該放射線画像情報を効率的に読み取ることができる。
【発明を実施するための最良の形態】
【００１１】
図１は、本発明の放射線画像情報読取装置及びその制御方法が適用される放射線画像形成システム１０の構成を示す。放射線画像形成システム１０は、台車１２に載置された状態で病室等に搬送可能に構成される。
【００１２】
台車１２には、コンソール１４、Ｘ線源制御装置２２、読取装置２６、バッテリ２７及び送受信機２８が載置されている。コンソール１４は、放射線画像情報を撮影するための撮影情報等を入力し、あるいは、外部から取得するためのディスプレイを備える。Ｘ線源制御装置２２は、コンソール１４から供給された撮影情報に従ってＸ線源１６を制御し、被写体１８にＸ線２０を照射する。読取装置２６は、被写体１８を透過したＸ線２０が照射されることで放射線画像情報が記録される蓄積性蛍光体パネルＰ（放射線変換パネル）を収納したカセッテ２４が装填されると、該蓄積性蛍光体パネルＰから放射線画像情報を読み取る。送受信機２８は、蓄積性蛍光体パネルＰから読み取られた放射線画像情報を外部に送信する一方で、外部から必要な情報を取得する。バッテリ２７は、送受信機２８、コンソール１４、Ｘ線源１６、Ｘ線源制御装置２２、読取装置２６及び送受信機２８に対して電力を供給する。
【００１３】
この場合、Ｘ線源１６は、アーム部材２９を介してＸ線源制御装置２２に連結される。また、バッテリ２７には、充電器３１が接続されており、必要に応じてバッテリ２７の充電を行うことができる。さらに、台車１２には、読取装置２６からの制御により車輪２３の回転を停止させて、該台車１２を停止状態にすることが可能なブレーキ等のロック機構２５（移動停止手段）が備わっている。なお、Ｘ線源１６、Ｘ線源制御装置２２及び後述するＸ線照射スイッチ７６は、撮影装置を構成する。
【００１４】
図２は、読取装置２６の内部構成を示す。ここで、読取装置２６に装填されるカセッテ２４は、開閉自在な蓋部材３０を有すると共に、当該カセッテ２４を識別するためのＩＤ情報が記録された図示しないバーコードが装着されている。
【００１５】
読取装置２６は、ケーシング３６の上部にカセッテ装填部３８を備え、このカセッテ装填部３８には、矢印方向にスライド自在な蓋部材４０が配設される。放射線画像情報が記録された蓄積性蛍光体パネルＰを収納したカセッテ２４は、蓋部材３０を下にした状態でカセッテ装填部３８に装填される。なお、ケーシング３６は、外部からのＸ線２０の侵入を阻止すべく、鉛等の重金属を含む材料で形成される。
【００１６】
カセッテ装填部３８には、カセッテ２４に装着されているバーコードを読み取るバーコードリーダ４２と、カセッテ２４の蓋部材３０のロックを解除するロック解除機構４６と、カセッテ２４から蓄積性蛍光体パネルＰを吸着して取り出す吸着盤４８と、吸着盤４８によって取り出された蓄積性蛍光体パネルＰを挟持搬送するニップローラ５０とが配設される。
【００１７】
ニップローラ５０に連設して、複数の搬送ローラ５２ａ〜５２ｇ及び複数のガイド板５４ａ〜５４ｆが配設され、これらにより湾曲搬送路５６が構成される。湾曲搬送路５６は、カセッテ装填部３８から下方向に延在した後、最下部において略水平状態となり、次いで、略鉛直上方向に延在する。なお、湾曲搬送路５６の各位置は、Ｘ線源１６を用いた撮影時において蓄積性蛍光体パネルＰを待避させる待避部として機能する。また、湾曲搬送路５６の所定部位には、搬送される蓄積性蛍光体パネルＰを検出するセンサ５５ａ〜５５ｄが配設される。
【００１８】
ニップローラ５０と搬送ローラ５２ａとの間には、読取処理が終了した蓄積性蛍光体パネルＰに残存する放射線画像情報を消去するための消去ユニット６０が配設される。消去ユニット６０は、消去光を出力する冷陰極管からなる複数の消去光源６２を有する。
【００１９】
一方、湾曲搬送路５６の最下部に配設される搬送ローラ５２ｄ、５２ｅ間には、プラテンローラ６４が配設される。そして、プラテンローラ６４の上部には、蓄積性蛍光体パネルＰに蓄積記録された放射線画像情報を読み取る走査ユニット６６（読取部）が配設される。
【００２０】
走査ユニット６６は、励起光であるレーザビームＬＢを導出して蓄積性蛍光体パネルＰを搬送方向と直交する方向に走査する励起部６８と、レーザビームＬＢによって励起されることで放出される放射線画像情報に係る輝尽発光光を集光する集光ガイド７０と、集光ガイド７０によって集光された輝尽発光光を電気信号に変換するフォトマルチプライヤ７２とを備える。なお、集光ガイド７０の一端部には、輝尽発光光の集光効率を高めるための集光ミラー７４が近接して配設される。
【００２１】
図３は、放射線画像形成システム１０の制御ブロック図を示す。Ｘ線源制御装置２２には、作業者の操作によってＸ線源１６を駆動し、Ｘ線２０を被写体１８に照射するＸ線照射スイッチ７６が接続される。
【００２２】
読取装置２６は、読取装置制御部８０（読取モード切替手段）を有する。読取装置制御部８０には、読取装置２６の電源スイッチ８２、カセッテ２４を読取装置２６から排出させるためのカセッテ排出ボタン８８、カセッテ２４のバーコードを読み取るバーコードリーダ４２、走査ユニット６６を制御する走査ユニット制御部８４（解像度変更手段）、消去ユニット６０を制御する消去ユニット制御部８６、湾曲搬送路５６を制御して蓄積性蛍光体パネルＰを搬送するパネル搬送制御部９０、並びに、走査ユニット６６が蓄積性蛍光体パネルＰから読み取った放射線画像情報と、該放射線画像情報の読取時における走査ユニット６６の読取モード及び該読取モードの切替履歴とを共に記録する記録部９２（記録手段）が接続される。
【００２３】
なお、前記読取モードは、走査ユニット６６による蓄積性蛍光体パネルＰからの放射線画像情報の読取時、すなわち、励起部６８による蓄積性蛍光体パネルＰの走査時におけるレーザビームＬＢの走査速度（読取速度）を示すモードであり、ロック機構２５による車輪２３の回転停止により読取装置２６を含む台車１２が停止状態となり且つ通常の読取速度にて放射線画像情報が読み取られる通常読取モード（第１モード）と、ロック機構２５による車輪２３の停止状態が解除されて台車１２が移動可能となり且つ前記通常の読取速度よりも高速に前記放射線画像情報が読み取られる高速読取モード（第２モード）とがある。
【００２４】
また、読取装置制御部８０は、カセッテ装填部３８に蓄積性蛍光体パネルＰが存在しない、すなわち、蓄積性蛍光体パネルＰが装填されたカセッテ２４が存在しないことを確認すると、Ｘ線源制御装置２２に対して撮影許可信号を出力する。
【００２５】
さらに、読取装置制御部８０は、作業者によるコンソール１４の操作により通常読取モード又は高速読取モードが設定（選択）されたときに、前記放射線画像情報の読取時における走査ユニット６６の読取解像度を、選択された読取モード（通常読取モード又は高速読取モード）に応じた読取解像度に変更するように走査ユニット制御部８４を制御する。この場合、走査ユニット制御部８４は、前記通常読取モードが選択されたときには、比較的高い読取解像度（第１解像度）、すなわち、通常の（比較的低速の）読取速度にて蓄積性蛍光体パネルＰに蓄積記録された放射線画像情報を読み取るように走査ユニット６６を制御し、一方で、前記高速読取モードが選択されたときには、比較的低い読取解像度（第２解像度）、すなわち、前記通常の読取速度よりも高速の読取速度にて前記放射線画像情報を読み取るように走査ユニット６６を制御する。
【００２６】
本実施形態の放射線画像形成システム１０は、基本的には以上のように構成されるものであり、次に、その動作につき、図１〜図３及び図４のフローチャートに従って説明する。
【００２７】
先ず、作業者は、放射線画像形成システム１０を台車１２と共に被写体１８の場所、例えば、病室まで移動させ、放射線画像形成システム１０の電源を投入した後、撮影の準備を行う。
【００２８】
作業者がコンソール１４を操作して、被写体１８の名前、撮影方法等の撮影情報を入力し、あるいは、送受信機２８を介して外部から撮影情報を取得すると共に、被写体１８の放射線画像情報を記録するカセッテ２４を選択し、該カセッテ２４に装着されているバーコードを読み取ることで、カセッテ２４のＩＤ情報を取得する。このようにして、撮影情報及びカセッテ２４のＩＤ情報が設定され、撮影準備が完了すると、Ｘ線源制御装置２２は、読取装置２６の読取装置制御部８０に撮影準備完了信号を出力する。
【００２９】
読取装置制御部８０は、Ｘ線源制御装置２２から撮影準備完了信号が入力されると、蓄積性蛍光体パネルＰを収納したカセッテ２４がカセッテ装填部３８に装填されているか否かを確認する。なお、カセッテ２４の有無は、例えば、カセッテ装填部３８に配設されているバーコードリーダ４２がカセッテ２４のバーコードを読み取ることができるか否かによって判定することができる。
【００３０】
カセッテ装填部３８にカセッテ２４が装填されていると判定された場合、読取装置制御部８０は、カセッテ２４内に蓄積性蛍光体パネルＰが収納されているか否かを確認する。この場合、読取装置２６では、カセッテ装填部３８に装填されたカセッテ２４から１枚の蓄積性蛍光体パネルＰのみがケーシング３６の内部に供給されて処理されるものとする。従って、例えば、パネル搬送制御部９０が湾曲搬送路５６を制御しておらず、あるいは、湾曲搬送路５６の所定部位に配設されたセンサ５５ａ〜５５ｄが蓄積性蛍光体パネルＰを検出していない場合、読取装置制御部８０は、蓄積性蛍光体パネルＰがカセッテ２４内に収納されていると判定することができる。
【００３１】
ここで、カセッテ装填部３８に装填されたカセッテ２４内に蓄積性蛍光体パネルＰが収納され、且つ蓋部材３０が閉蓋されてカセッテ装填部３８に対するカセッテ２４のロック状態が解除されている場合に、前記作業者は、カセッテ排出ボタン８８の操作後、該カセッテ２４をカセッテ装填部３８から抜き取って、図１に示すように、Ｘ線源１６に対向する被写体１８の直下に配置することができる。この場合、読取装置制御部８０は、カセッテ装填部３８に蓄積性蛍光体パネルＰが存在しない、すなわち、蓄積性蛍光体パネルＰが装填されたカセッテ２４が存在しないことを確認すると、Ｘ線源制御装置２２に対して撮影許可信号を出力する。
【００３２】
Ｘ線源制御装置２２は、撮影許可信号が入力された後、作業者の操作に起因してＸ線照射スイッチ７６からショット信号が入力されると、Ｘ線源１６を駆動して放射線画像情報の撮影を行う。Ｘ線源１６から出力されたＸ線２０は、被写体１８を透過し、カセッテ２４に収納された蓄積性蛍光体パネルＰに照射されて放射線画像情報が蓄積記録される。撮影が終了すると、Ｘ線源制御装置２２は、撮影終了信号を読取装置制御部８０に出力する。
【００３３】
次に、放射線画像情報が蓄積記録された蓄積性蛍光体パネルＰを収納したカセッテ２４を読取装置２６に装填し、読取処理を行う場合について説明する。
【００３４】
図４のフローチャートに示す処理は、例えば、走査ユニット６６による放射線画像情報の読取前、具体的には、上述の撮影終了後、カセッテ装填部３８に対するカセッテ２４の装填前に行われる。
【００３５】
先ず、作業者は、コンソール１４を操作して、走査ユニット６６における放射線画像情報の読取モードを入力する。これにより、読取装置制御部８０は、前記読取モードが選択（設定）されたことを把握し（図４のステップＳ１）、次に、選択された前記読取モードが高速読取モードであるか否かを判定する（ステップＳ２）。
【００３６】
ステップＳ２において、読取装置制御部８０は、前記高速読取モードが設定されたと判定すると（ステップＳ２のＹＥＳ）、ロック機構２５に対して車輪２３の停止状態を解除するように制御すると共に、走査ユニット制御部８４に対して走査ユニット６６における放射線画像情報の読取解像度を前記高速読取モードに応じた第２解像度に変更するように制御する。これにより、ロック機構２５は、車輪２３の停止状態を解除して、台車１２を移動可能な状態とし、一方で、走査ユニット制御部８４は、前記高速読取モードに応じた低解像度（第２解像度）、すなわち、高速の読取速度にて放射線画像情報を読み取るように走査ユニット６６を制御する（ステップＳ３）。
【００３７】
また、ステップＳ２において、読取装置制御部８０は、前記通常読取モードが設定されたと判定すると（ステップＳ２のＮＯ）、ロック機構２５に対して車輪２３を停止状態とするように制御すると共に、走査ユニット制御部８４に対して走査ユニット６６における放射線画像情報の読取解像度を前記通常読取モードに応じた第１解像度に変更するように制御する。これにより、ロック機構２５は、車輪２３の回転を停止させることで台車１２を停止状態とし、一方で、走査ユニット制御部８４は、前記通常読取モードに応じた高解像度（第１解像度）、すなわち、低速の読取速度にて放射線画像情報を読み取るように走査ユニット６６を制御する（ステップＳ４）。
【００３８】
そして、図４のステップＳ３又はＳ４の処理が完了した後に、放射線画像情報が蓄積記録された蓄積性蛍光体パネルＰを収納したカセッテ２４がカセッテ装填部３８に装填されると、バーコードリーダ４２が該カセッテ２４に装着されているバーコードを読み取ってカセッテ２４のＩＤ情報を取得した後、ロック解除機構４６により蓋部材３０のロックが解除されて開蓋される。次いで、吸着盤４８によってカセッテ２４内の蓄積性蛍光体パネルＰが吸着されて取り出され、ニップローラ５０により湾曲搬送路５６に供給される。湾曲搬送路５６を構成する搬送ローラ５２ａ〜５２ｇは、蓄積性蛍光体パネルＰを搬送する。
【００３９】
蓄積性蛍光体パネルＰが搬送ローラ５２ｄ、５２ｅ間を副走査搬送されると共に、励起部６８からのレーザビームＬＢが蓄積性蛍光体パネルＰを主走査することにより、放射線画像情報の読み取りが行われる。すなわち、励起部６８から出力されたレーザビームＬＢが蓄積性蛍光体パネルＰに照射されると、蓄積性蛍光体パネルＰから放射線画像情報に対応した輝尽発光光が出力される。
【００４０】
この場合、図４のステップＳ３に示す高速読取モード及び第２解像度が設定されているときには、比較的高速の読取速度（走査速度）にてレーザビームＬＢが蓄積性蛍光体パネルＰに照射され、一方で、ステップＳ４に示す通常読取モード及び第１解像度が設定されているときには、比較的低速の読取速度（走査速度）にてレーザビームＬＢが蓄積性蛍光体パネルＰに照射される。
【００４１】
前記輝尽発光光は、集光ガイド７０を介してフォトマルチプライヤ７２に導かれ、電気信号としての放射線画像情報に変換される。読み取られた放射線画像情報は、カセッテ２４のＩＤ情報、読取モード（通常読取モード又は高速読取モード）及び該読取モードの切替履歴を示す情報と共に記録部９２に記録され、さらに、前記通常読取モードに応じた放射線画像情報であれば、コンソール１４を介して送受信機２８から外部に送信される。
【００４２】
放射線画像情報の読み取られた蓄積性蛍光体パネルＰは、一旦ガイド板５４ｆ側まで搬送された後、再び走査ユニット６６の下部を介してカセッテ装填部３８側に戻される。カセッテ装填部３８側に戻された蓄積性蛍光体パネルＰは、ニップローラ５０、搬送ローラ５２ａ間に配設されている消去ユニット６０を構成する消去光源６２から出力される消去光により、蓄積性蛍光体パネルＰに残存する放射線画像情報が除去される。
【００４３】
残存する放射線画像情報の消去処理が終了した蓄積性蛍光体パネルＰは、ニップローラ５０及び吸着盤４８を用いてカセッテ２４に収納されて蓋部材３０が閉蓋された後、カセッテ排出ボタン８８が操作されることでカセッテ装填部３８から抜き取られ、次の撮影に使用される。
【００４４】
以上説明したように、本実施形態によれば、放射線画像情報の読取モードの切替（選択）に応じて該放射線画像情報の読取解像度を変更することにより、該放射線画像情報を効率的に読み取ることができる。
【００４５】
具体的に、読取装置２６を配置した台車１２が停止状態であるときの通常読取モードにおいては、走査ユニット６６における放射線画像情報の読取解像度を比較的に高解像度（第１解像度）に設定し、通常の（低速の）読取速度にて前記放射線画像情報を読み取り、一方で、台車１２が移動可能であるときの高速読取モードに切り替えたときに、低解像度（第２解像度）に変更し、前記放射線画像情報を高速の読取速度にて読み取るので、放射線画像情報の読取モードに応じて読取解像度が切り替えられ、放射線画像情報を効率よく読み取ることができる。
【００４６】
また、作業者によるコンソール１４の操作に基づいて読取モード、読取速度及び読取解像度が変更されるので、前記読取モード、前記読取速度及び前記読取解像度の設定（変更）が容易である。
【００４７】
さらに、走査ユニット６６にて読み取られた前記放射線画像情報と、該放射線画像情報の読取時の読取モード及び該読取モードの切替履歴とを共に記録部９２に記録させることで、記録部９２から該放射線画像情報、前記読取モード及び前記切替履歴を読み出して、コンソール１４のディスプレイに表示した際に、どのような読取モード及び読取解像度にて読み取られた放射線画像情報であるのかが明確となり、この結果、低い読取解像度の画像が被写体１８の詳細な診断に使用されることを確実に防止することができる。また、前記切替履歴を記録部９２にログとして記録させることで、前記放射線画像情報と共に読み出して前記ディスプレイに表示した際に、作業者は、読み出した前記放射線画像情報がどのような画像情報であるのかを容易に把握することができる。なお、上述した低解像度の放射線画像情報は、病院内の回診時等において、被写体１８の状態を概略的に把握するための画像情報であるので、再度の読取は行われない。
【００４８】
さらにまた、通常読取モードに設定されているときにロック機構２５によって台車１２の移動を停止させることで、診断適性に優れた高解像度の画像が必要とされる通常時に、台車１２の移動に起因して画像にノイズ等が重畳することを確実に防止することができる。
【００４９】
なお、本発明は、上述した実施形態に限定されるものではなく、本発明の主旨を逸脱しない範囲で自由に変更できることは勿論である。
【００５０】
例えば、放射線画像形成システム１０を構成する読取装置２６には、撮影装置を構成するＸ線源１６が連結されているが、撮影装置とは独立に構成されて撮影室内に配置されている読取装置に対しても本発明を適用することができる。また、蓄積性蛍光体パネルＰに代えて、例えば、半導体素子を利用した他の形態からなる放射線変換パネルを読取装置２６に適用することもできる。
【図面の簡単な説明】
【００５１】
【図１】本実施形態の放射線画像形成システムの構成図である。
【図２】読取装置の内部構成図である。
【図３】放射線画像形成システムの制御ブロック図である。
【図４】読取装置の動作フローチャートである。
【符号の説明】
【００５２】
１０…放射線画像形成システム    １２…台車
１４…コンソール                １６…Ｘ線源
１８…被写体                    ２０…Ｘ線
２２…Ｘ線源制御装置            ２３…車輪
２４…カセッテ                  ２５…ロック機構
２６…読取装置                  ２７…バッテリ
２８…送受信機                  ６０…消去ユニット
６６…走査ユニット              ７６…Ｘ線照射スイッチ
８０…読取装置制御部            ８２…電源スイッチ
８４…走査ユニット制御部        ８６…消去ユニット制御部
８８…カセッテ排出ボタン        ９０…パネル搬送制御部
９２…記録部                    Ｐ…蓄積性蛍光体パネル
【図１】
2009195320.tif 000003
【図２】
2009195320.tif 000004
【図３】
2009195320.tif 000005
【図４】
2009195320.tif 000006